(57)【要約】      （修正有）【課題】分解・組立作業の容易化、構成の簡略化、組立時の強度の向上、有効スペースの拡大を図ることができる組立式ラックを提供する。【解決手段】複数本の柱材３と、複数本の柱材を連結する梁材と、複数本の柱材に取り付けられるフック７と、フック上に設置されるラック板９と、を具備してなる組立式ラックにおいて、フックは上向係止片と下向係止片を備えていて、柱材には上向係止片用開口部７１と下向係止片用開口部７３が形成されていて、フックは上向係止片２７と下向係止片２９を上向係止片用開口部と下向係止片用開口部に係合させることにより柱材に取り付けられる。【選択図】図３
2019093036.tif 000002
【特許請求の範囲】
【請求項１】
複数本の柱材と、上記複数本の柱材を連結する梁材と、上記複数本の柱材に取り付けられるフックと、上記フック上に設置されるラック板と、を具備してなるラックにおいて、
上記フックは上向係止片と下向係止片を備えていて、
上記柱材には上向係止片用開口部と下向係止片用開口部が形成されていて、
上記フックは上記上向係止片と下向係止片を上記上向係止片用開口部と下向係止片用開口部に係合させることにより上記柱材に取り付けられていることを特徴とするラック。
【請求項２】
請求項１記載のラックにおいて、
上記ラック板の奥行方向両端部は下部が削られた薄肉部になっていて、該薄肉部に上記フックの横片が嵌合・配置されるように構成されていることを特徴とするラック。
【請求項３】
請求項１又は請求項２記載のラックにおいて、
上記ラック板には溝が横方向に延長・形成されていて、該溝を利用して任意の位置に仕切板を取付可能にしたことを特徴とするラック。
【請求項４】
請求項１〜請求項３の何れかに記載のラックにおいて、
上記梁材にはタップ用凹部が長手方向に延長・形成されていて、
上記柱材側から上記タップ用凹部内に固定ねじを螺合することにより上記梁材と柱材を連結・固定するようにしたことを特徴とするラック。
【発明の詳細な説明】
【技術分野】
【０００１】
本発明は、組立式ラックに係り、特に、分解・組立作業の容易化、構成の簡略化、組立時の強度の向上、有効スペースの拡大を図ることができるように工夫したものに関する。
【背景技術】
【０００２】
組立式のラックの構成を開示するものとして、例えば、特許文献１、特許文献２、等がある。
まず、特許文献１に記載された発明による「収納棚における棚板支持装置」の場合には、略三角形をなすブラケットを各支柱に取り付け、それらブラケットの上に棚板を設置する。上記ブラケットには３個のフックが突設されていて、一方、上記支柱にはそれに対応する３個の係止孔が形成されている。上記フックはそれら３個のフックを上記３個の係止孔に係合させることにより支柱に取り付けられている。
【０００３】
次に、特許文献２に記載された発明による「棚板固定装置」の場合には、略Ｌ字形状をなすブラケットがあり、このブラケットには２個の係止フックが突設されている。一方、壁面にはそれに対応する２個のスリットが形成されている。上記ブラケットは上記２個の係止フックを上記スリットに係合させることにより壁面に取り付けられている。そして、上記複数個のブラケットの上に棚板が設置される。
【先行技術文献】
【特許文献】
【０００４】
【特許文献１】特開２００８−８６５３４号公報
【特許文献２】特開２０１５−２９６４４号公報
【発明の概要】
【発明が解決しようとする課題】
【０００５】
上記従来の構成によると次のような問題があった。
まず、特許文献１に記載された発明の場合には、ブラケットの３個のフックを支柱の３個の係止孔に係合させなければならず、分解・組立作業が面倒であるという問題があった。又、ブラケットの形状が複雑になってしまうとともに、その分支柱側にも数多くの係止孔を形成しなければならないという問題もあった。又、棚板の下方にフックが大きく出っ張ることになるので有効スペースが狭くなってしまうという問題もあった。
又、特許文献２に記載された発明の場合には、ブラケットに２個の係止フックを形成する構成になっているので、特許文献１に記載された発明におけるブラケットに比べると、分解・組立作業が容易であって構成も簡略化されることになるが、２個のフックの向きが同じであるため、組立時における強度が低下してしまうという問題があった。又、この場合にも棚板の下方にフックが大きく出っ張ることになるので有効スペースが狭くなってしまうという問題もあった。
【０００６】
本発明はこのような点に基づいてなされたものでその目的とするところは、分解・組立作業の容易化、構成の簡略化、組立時の強度の向上、有効スペースの拡大を図ることができる組立式ラックを提供することにある。
【課題を解決するための手段】
【０００７】
上記目的を達成するべく本願発明の請求項１による組立式ラックは、複数本の柱材と、上記複数本の柱材を連結する梁材と、上記複数本の柱材に取り付けられるフックと、上記フック上に設置されるラック板と、を具備してなる組立式ラックにおいて、上記フックは上向係止片と下向係止片を備えていて、上記柱材には上向係止片用開口部と下向係止片用開口部が形成されていて、上記フックは上記上向係止片と下向係止片を上記上向係止片用開口部と下向係止片用開口部に係合させることにより上記柱材に取り付けられていることを特徴とするものである。
又、請求項２による組立式ラックは、請求項１記載のラックにおいて、上記ラック板の奥行方向両端部は下部が削られた薄肉部になっていて、該薄肉部に上記フックが嵌合・配置されるように構成されていることを特徴とするものである。
又、請求項３による組立式ラックは、請求項１又は請求項２記載のラックにおいて、上記ラック板には溝が横方向に延長・形成されていて、該溝を利用して任意の位置に仕切板を取付可能にしたことを特徴とするものである。
又、請求項４による組立式ラックは、請求項１〜請求項３の何れかに記載のラックにおいて、上記梁材にはタップ用凹部が長手方向に延長・形成されていて、上記柱材側から上記タップ用凹部内にセルフタップねじを螺合することにより上記梁材と柱材を連結・固定するようにしたことを特徴とするものである。
【発明の効果】
【０００８】
以上述べたように本願発明の請求項１による組立式ラックによると、複数本の柱材と、上記複数本の柱材を連結する梁材と、上記複数本の柱材に取り付けられるフックと、上記フック上に設置されるラック板と、を具備してなる組立式ラックにおいて、上記フックは上向係止片と下向係止片を備えていて、上記柱材には上向係止片用開口部と下向係止片用開口部が形成されていて、上記フックは上記上向係止片と下向係止片を上記上向係止片用開口部と下向係止片用開口部に係合させることにより上記柱材に取り付けられているので、解・組立作業の容易化、構成の簡略化、組立時の強度の向上を図ることができる。
又、請求項２による組立式ラックによると、請求項１記載のラックにおいて、上記ラック板の奥行方向両端部は下部が削られた薄肉部になっていて、該薄肉部に上記フックが嵌合・配置されるように構成されているので、有効スペースの拡大を図ることができる。
又、請求項３による組立式ラックによると、請求項１又は請求項２記載のラックにおいて、上記ラック板には溝が横方向に延長・形成されていて、該溝を利用して任意の位置に仕切板を取付可能にしたので、仕切板を任意の位置に容易に取り付けることができる。
又、請求項４による組立式ラックによると、請求項１〜請求項３の何れかに記載のラックにおいて、上記梁材にはタップ用凹部が長手方向に延長・形成されていて、上記柱材側から上記タップ用凹部内にセルフタップねじを螺合することにより上記梁材と柱材を連結・固定するようにしたので、針材の柱材への取付が容易になった。
【図面の簡単な説明】
【０００９】
【図１】本発明の一実施の形態を示す図で、組立式ラックの全体構成を示す斜視図である。
【図２】本発明の一実施の形態を示す図で、図１のＩＩ部を拡大して示す一部斜視図である。
【図３】本発明の一実施の形態を示す図で、一部を切り欠いて示すラックの一部側面図である。
【図４】本発明の一実施の形態を示す図で、柱材の端面図である。
【図５】本発明の一実施の形態を示す図で、梁材の端面図である。
【図６】本発明の一実施の形態を示す図で、フックの端面図である。
【図７】本発明の一実施の形態を示す図で、ラック板の端面図である。
【図８】本発明の一実施の形態を示す図で、柱材と梁材の連結構造を説明するための一部斜視図である。
【図９】本発明の一実施の形態を示す図で、柱材と梁材の接合部の構成を示す一部平面図である。
【図１０】本発明の一実施の形態を示す図で、組立式ラックにおける仕切板の取付構造を示す一部斜視図である。
【図１１】本発明の一実施の形態を示す図で、図１１（ａ）は仕切板をラック板に取り付けるための取付具の正面図、図１１（ｂ）は同取付具の側面図である。
【発明を実施するための形態】
【００１０】
以下、図１乃至図１１を参照して本発明の一実施の形態を説明する。図１は本実施の形態による組立式ラック１の組立時の全体構成を示す斜視図であり、まず、複数本（図示する場合には６本）の柱材３がある。上記６本の柱材３は奥行き方向の２本が一組になっていて、一組の柱材３、３間であって上下には梁材５、５が架け渡されている。又、一組の柱材３、３には高さ方向に所定のピッチでフック７、７が取り付けられている。そして、それら複数個のフックの上にラック板９が設置されている。図１に示す組立式ラックの場合には５枚のラック板９が設置されている。
【００１１】
以下、各部の構成を詳細に説明する。
まず、上記柱材３であるが、図４に示すように、中空形状であって略長方形の端面形状をなしていて、中空部１１、１３が形成されている。上記中空部１３側にはタップ用中空部１５が形成されている。又、上記中空部１３側の外面であって幅方向両端には位置決め突起１６、１６が突設されている。
【００１２】
又、上記梁材５であるが、図５に示すように、中空形状であって略長方形の端面形状をなしていて、中空部１７、１９が形成されている。上記中空部１７側にはタップ用中空部２１が形成されている。
【００１３】
又、上記フック７であるが、図６に示すように、端面形状が略逆Ｌ字形状をなしていて、横片２３、縦片２５とから構成されている。又、上記横片２３と縦片２５の境界部であって背面側には上側係止爪フック２７が突設されている。又、上記縦片２５の下端部であって背面側には下側係止爪２９が突設されている。上記上側係止爪フック２７は上側に向かって屈曲・形成されており、上記下側係止爪２９は下側に向かって屈曲・形成されている。上記横片２３と縦片２５の境界部であって上記横片２３側には段付部３０が形成されている。
【００１４】
又、上記ラック板９であるが、図７に示すように、基本的には平板形状をなしていて、中央部に中空部３１、３３、３５、３７が形成されている。又、Ｔスロット溝３９、４１が形成されている。又、奥行き方向両端部（図７中左右両端部）は薄肉部４３、４５となっている。又、上記薄肉部４３、４５の下面側には段付部４７、４９が形成されている。
【００１５】
次に、組立式ラック１の組立手順を説明する。
まず、一組の柱材３、３の間に梁材５、５を設置する。すなわち、図８に示すように、柱材３、３の間に梁材５を配置し、柱材３の外側から固定ねじ５１をねじ込んでいく。上記柱材３側には予め貫通孔が形成されていて、上記固定ねじ５１をその貫通孔を通して、梁材５のタップ用中空部２１内にねじ込んでいく。これを両側から行うことにより柱材３、３の間に梁材５、５を連結する。
図１に示す組立式ラック１の場合には三組の柱材３、３があるので、同様の作業を三組の柱材３、３について行う。
尚、図９に示すように、柱材３側の位置決め突起１６、１６によって梁材５の位置決めがなされる。
【００１６】
次に、各柱材３の所定位置にフック７を取り付ける。すなわち、図３に示すように、柱材３側には所定位置に上側係止爪用孔７１、下側係止爪用孔７３が形成されていて、フック７の上側係止爪２７、下側係止爪２９をそれら上側係止爪用孔７１、下側係止爪用孔７３に係合させる。これによって、フック７は柱材３に取り付けられる。同様の作業により複数個のフック７を各柱材３に取り付ける。
【００１７】
次に、同じ高さ位置に取り付けられた６個のフック７の上にラック板９を設置する。
そして、図３に示すように、固定ねじ８１をラック板９からフック７側に掛けてねじ込んで固定する。
以上の工程を経ることにより組立式ラック１を組み立てることができる。
【００１８】
次に、図１０に示すように、組立式ラック１の各段の所定位置に必要に応じて仕切板９１を取り付ける。すなわち、上記仕切板９１には仕切板取付具９３、９３が取り付けられている。上記仕切板取付具９３は、図１１に示すような形状をなしていて、挟持部９５と、Ｔスロット駒部材９７と、から構成されている。上記挟持部９５は一対の挟持片９９、９９から構成さていて、これら挟持片９９、９９に余って上記仕切板９１を挟持・固定する。
そして、上記仕切板取付具９３、９３のＴスロット駒部材９７、９７をラック板９のＴスロット溝３９、４１内に嵌合させる。これによって、上記仕切板取付具９３をラック板９に取り付けることができる。
【００１９】
上記仕切板９１は上記Ｔスロット溝３９、４１に沿って任意の位置に移動させることができる。
【００２０】
以上、本実施の形態によると次のような効果を奏することができる。
まず、組立・分解作業の容易化を図ることができる。これは、フック７の係止爪を２個にしたからであり、それによって、フック７の柱材３への取付作業が容易になったからである。
又、構成の簡略化を図ることができる。これもフック７の係止爪を２個にしたからであり、それによって、フック７の形状が単純化されるとともに、柱材３の構成も単純化されるからである。
又、強固な取付状態を得ることができる。これは、フック７に二つの上側係止爪２７、下側係止爪２９の屈曲方向が上側、下側と逆向きになっているからであり、作用するモーメント荷重に対して効果的に支持できるからである。
又、組立式ラック１の各段における有効スペースを拡大することができる。これは、ラック板９の奥行き方向両端部を薄板部４３、４５とし、その薄板部４３、４５の下側にフック７の横片２３が入り込むようにし、フック７による出っ張りを少なくしたからである。
又、ラック板９の下に仕切板９１を移動可能な状態で取り付けることができる。又、仕切板９１に無理な荷重が作用した場合には、スロット駒部材９７、９７がＴスロット溝３９、４１内に若干傾斜した状態で衝突することになり（いわゆるカジッタ状態）、仕切板９１の不用意な移動は規制され、それによって、積層物の転倒等を防止することができる。
【００２１】
尚、本発明は前記一実施の形態に限定されるものではない。
まず、柱材、梁材、フック、ラック板の端面形状は図示したものに限定されない。
その他、図示した構成はあくまで一例である。
【産業上の利用可能性】
【００２２】
本発明は、組立式ラックに係り、特に、分解・組立作業の容易化、構成の簡略化、組立時の強度の向上、有効スペースの拡大を図ることができるように工夫したものに関し、特に、各種工場内における部品管理用の組立式ラックに好適である。
【符号の説明】
【００２３】
１  組立式ラック
３  柱材
５  梁材
７  フック
９  ラック板
２７  上向係止片
２９  下向係止片
４３  薄肉部
４５  薄肉部
５１  固定ねじ
７１  上向係止片用開口部
７３  下向係止片用開口部
【図１】
2019093036.tif 000003
【図２】
2019093036.tif 000004
【図３】
2019093036.tif 000005
【図４】
2019093036.tif 000006
【図５】
2019093036.tif 000007
【図６】
2019093036.tif 000008
【図７】
2019093036.tif 000009
【図８】
2019093036.tif 000010
【図９】
2019093036.tif 000011
【図１０】
2019093036.tif 000012
【図１１】
2019093036.tif 000013